(57)【特許請求の範囲】
【請求項１】
内部を吸気路が貫通し、該吸気路を絞り弁軸に取着された絞り弁にて開閉制御する単一のスロットルボデーが側方に配置されるとともに前記スロットルボデーが縦方向に複数配置される多連装吸気制御装置において、
前記単一のスロットルボデーＢは、
絞り弁軸３に一体的に形成され、調整ネジ６が螺着されたスロットルレバー５と；
絞り弁軸３に対して同芯で且つ回転自在に配置され、外周にウォームギア７Ａが刻設されるとともに係止杆７Ｂを備え、リターンスプリングＳ１によって絞り弁２の閉方向に付勢されるウォームレバー７と；
一端がスロットルレバー５に係止され、他端が係止杆７Ｂに係止され、係止杆７Ｂを調整ネジ６の先端に押圧する作動伝達スプリングＳ２と；
を備え、
前記単一のスロットルボデーが縦方向に複数配置されるとともに各スロットルボデーＢ，Ｂ…のウォームレバー７のウォームギア７Ａを、単一のモータＭによって回転駆動され、縦方向に回転自在に配置される単一のウォームシャフト１０に噛合配置したことを特徴とする船外機用機関における多連装吸気制御装置。
【請求項２】
前記、単一のスロットルボデーＢに、スロットルレバー５、ウォームレバー７、を介して絞り弁２を開方向に回転しうる第２調整ネジ１５を螺着したことを特徴とする請求項１記載の船外機用機関における多連装吸気制御装置。
【請求項３】
前記ウォームシャフトに形成されるネジをリードがピッチの２倍に等しい２条ネジとしたことを特徴とする請求項１記載の船外機用機関における多連装吸気制御装置。
【発明の詳細な説明】
【０００１】
【産業上の利用分野】
本発明は、船外機用２サイクル機関における燃料噴射装置に用いる吸気制御装置に関し、そのうち単一のスロットルボデーが縦方向に複数個配置される多連装吸気制御装置に関する。
【０００２】
【従来の技術】
船外機用機関に用いられる多連装吸気制御装置は、単一のスロットルボデーが縦方向に複数個配置される。
各単一のスロットルボデーは横方向に吸気路が貫通して穿設され、吸気路は絞り弁軸に取着された絞り弁にて開閉制御され、絞り弁軸の外方端部にはスロットルレバーが一体的に形成される。
そして縦方向に配置される各スロットルボデーの各スロットルレバーはボールジョイントとリンクロッドで互いに連動連結され、更に特定のスロットルボデーのスロットルレバーにはドリブンレバーが形成される。
すなわちドリブンレバーが回転することによって特定のスロットルボデーのスロットルレバーが回転し、この回転がボールジョイント、リンクロッドを介して他のスロットルボデーのスロットルレバーを回転させる。
一方、船外機が搭載される船体の操舵席にあるコントロールレバーとエンジンカラリング内に配置されるカムとはフレキシブルワイヤにて連結されるもので、このカムはドリブンレバーにカム結合される。
而して運転者が操舵席においてコントロールレバーを操作すると、この操作はフレキシブルワイヤを介してカムに伝達されてカムを回転させ、これによってドリブンレバーがカムの回転に応じて回転し、このドリブンレバーの回転によって全てのスロットルボデーの絞り弁が同期的に各吸気路を開閉する。
【０００３】
本発明になる船外機用機関における多連装吸気制御装置は、前記機械式の吸気制御装置にかえて、コントロールレバーの操作に応じて出力される電気信号によって電気的に絞り弁を制御するに好適な多連装吸気制御装置を提供することを目的とする。
【０００４】
【課題を達成する為の手段】
本発明になる船外機用機関における多連装吸気制御装置は前記目的達成する為、内部を吸気路が貫通し、該吸気路を絞り弁軸に取着された絞り弁にて開閉制御する単一のスロットルボデーが側方に配置されるとともに前記スロットルボデーが縦方向に複数配置される多連装吸気制御装置において、
前記単一のスロットルボデーは、
絞り弁軸に一体的に形成され、調整ネジが螺着されたスロットルレバーと；
絞り弁軸に対して同芯で且つ回転自在に配置され、外周にウォームギアが刻設されるとともに係止杆を備え、リターンスプリングによって絞り弁の閉方向に付勢されるウォームレバーと；
一端がスロットルレバーに係止され、他端が係止杆に係止され、係止杆を調整ネジの先端に押圧する作動伝達スプリングと；
を備え、
前記単一のスロットルボデーが縦方向に複数配置されるとともに各スロットルボデーのウォームレバー７のウォームギアＡを、単一のモータによって回転駆動され、縦方向に回転自在に配置される単一のウォームシャフトに噛合配置したことを第１の特徴とする。
【０００５】
又、本発明は前記第１の特徴に加え、前記、単一のスロットルボデーに、スロットルレバー、ウォームレバー、を介して絞り弁を開方向に回転しうる第２調整ネジを螺着したことを第２の特徴とする。
【０００６】
更に本発明は前記第１の特徴に加え、ウォームシャフトに形成されるネジをリードがピッチの２倍に等しい２条ネジとしたことを第３の特徴とする。
【０００７】
【作用】
本発明の第１の特徴によると、コントロールレバーの操作に応じた出力信号がモータに入力されてモータが回転すると、モータと同期的にウォームシャフトが回転し、この回転が各スロットルボデーのウォームギアを介して各スロットルボデーのウォームレバーに伝達され、ウォームレバーが回転する。
これによると、ウォームレバーの正回転時において、係止杆が作動伝達スプリングを介してスロットルレバーを正方向に回転して各スロットルボデーの絞り弁は吸気路を開放する。
一方、ウォームレバーの逆回転時において、係止杆は調整ネジを介してスロットルレバーを逆方向に回転して各スロットルボデーの絞り弁は吸気路を閉塞する。
【０００８】
本発明の第２の特徴によると、何等かの理由でウォームレバー、スロットルレバーの回転が円滑さを欠いた場合、第２調整ネジを回動することによって絞り弁を一定開度迄開放することができ、機関の必要回転数を確保できる。
【０００９】
本発明の第３の特徴によると、ウォームギアとウォームシャフトとの摩擦力を低減できるので、モータに問題が発生した際において、ウォームレバーをリターンスプリングのバネ力で閉方向へ回転させることができ、もって機関を適正な回転迄下げることができる。
【００１０】
【実施例】
以下、本発明になる船外機用機関における多連装吸気制御装置の一実施例を図により説明する。
図１は船外機用機関に多連装吸気制御装置が装着された状態を示す要部縦断面図であり、Ｅは船外機用の多気筒２サイクル機関（以下単に機関という）であり、側方に複数の吸気口Ｅ１が開口し、各吸気口Ｅ１は単一のスロットルボデーＢが接続される。そしてスロットルボデーＢの上流側にはサイレンサーＣが接続され、サイレンサーＣの上部開口より空気が導入される。
前記各構成は、機関Ｅの周囲をおおうエンジンカラリング（図示せず）内に収納配置される。尚、各スロットルボデーＢには吸気路が貫通して穿設され、吸気路は絞り弁によって開閉される。
図２、図３によって多連装吸気制御装置の詳細について説明する。
本例におけるスロットルボデーは、６個用意されたものであるが、これは吸気口Ｂの数に応じて決定されるものであり、又スロットルボデーそのものが分割されていない例を示す。（１個のボデー内に複数の吸気路が穿設された。）
多連装吸気制御装置を構成する単一のスロットルボデーＢについて説明する。
スロットルボデーＢは吸気路１が側方に貫通して穿設され、吸気路１を開閉制御する絞り弁２は、スロットルボデーＢの軸受ボス４に回転自在に支承される絞り弁軸３に取着される。
本例において絞り弁２は時計方向へ回転することによって吸気路１を開放し、反時計方向へ回転することによって吸気路１を閉塞する。
５は絞り弁軸３の左端（図３において）に一体的に取着されたスロットルレバーであり、このスロットルレバー５はコ字状の上側及び下側の曲げ部５Ａ，５Ｂを備え、上側の曲げ部５Ａには調整ネジ６が螺着される。
７は絞り弁軸３に対して回転自在に配置されるウォームレバーであり、具体的にはスロットルレバー５側の軸受ボス４の外周にカラー８を介して回転自在に配置される。
このウォームレバー７の外周にはウォームギア７Ａが刻設され、更にスロットルレバー５の上側及び下側の曲げ部５Ａ，５Ｂの間に臨んで進入する係止杆７Ｂが立設される。
更にウォームレバー７にはリターンスプリングＳ１によって絞り弁２の閉方向のバネ力（図２において反時計方向の回転力）が付勢されるもので、ウォームレバー７の前記反時計方向の回転はストッパー９によって規制される。
そしてスロットルレバー５の上側の曲げ部５Ａに螺着された調整ネジ６の先端が係止杆７Ｂに当接配置され、下側の曲げ部５Ｂと係止杆７Ｂの下面との間に作動伝達スプリングＳ２が縮設される。
以上によるとスロットルレバー５とウォームレバー７とは調整ネジ６、係止杆７Ｂ、作動伝達スプリングＳ２によって連結される。
以上よりなる単一のスロットルボデーＢが上下方向の縦に６個配置された。
【００１１】
Ｍは図示せぬＥＣＵからの出力信号に基いて、正逆回転するステップモータ、直流モータ等のモータであり、本例では上側のスロットルボデーＢに固定配置された。
１０は単一のスロットルボデーＢに設けられた各ウォームレバー７の各ウォームギア７Ａに噛合配置されるウォームシャフトであり、このウォームシャフト１０はスロットルボデーＢに設けた軸受１１によって回転自在に支持され、その上端がカップリング１２を介してモータＭの出力軸に接続される。
本例で軸受１１は２個用意されたが、軸受１１は適宜用意されればよい。
尚、Ｔはもっとも上側のスロットルボデーＢの絞り弁軸３の右端に嵌合取着された角度センサであり、絞り弁軸３の回転角度を検出し、その信号を図示せぬＥＣＵに向けて出力する。角度センサＴそのものは公知であるので詳述しない。
【００１２】
以上よりなる多連装吸気制御装置における各絞り弁２の同調は以下によって行なわれる。
各スロットルボデーＢのウォームレバー７のウォームギア７Ａはウォームシャフト１０に噛合配置される。
又、各ウォームギア７はリターンスプリングＳ１によって反時計方向に付勢され、ストッパ９に当接した状態に保持される。
一方、絞り弁２は略全閉状態に保持されるもので、このとき絞り弁２が正確に全閉保持される必要はない。
かかる状態において、スロットルボデー５の上側の曲げ部５Ａに螺着される調整ネジ６の先端は係止杆７Ｂの上部に当接配置され、作動伝達スプリングＳ２は、係止杆７Ｂの下部とスロットルレバー５の下側の曲げ部５Ｂとの間に縮設配置される。
以上によると、各スロットルボデーＢは、絞り弁２の略全閉状態において、第１に、ウォームレバー７はリターンスプリングＳ１によって閉方向に付勢され、ストッパ９に当接して位置決め配置される。
第２に、ウォームレバー７とスロットルレバー５とは、調整ネジ６、係止杆７Ｂ、作動伝達スプリングＳ２によって連結される。
【００１３】
そして各スロットルボデーＢの絞り弁２は各調整ネジ６を螺動調整することによって行なわれる。
すなわち、調整ネジ６を締めこむことによって上側の曲げ部５Ａからの突寸を大きくすることにより絞り弁２を閉方向に調整制御でき、一方前記突寸を小とすることにより絞り弁２を開方向に調整できる。
そしてこの調整は各スロットルボデーＢごとに、フローメータ等の空気量測定器を用いて実施される。
【００１４】
そして、図示せぬＥＣＵからの出力信号によって、モータＭが一方向に回転してウォームシャフト１０が一方向に回転すると、この回転は各スロットルボデーＢの各ウォームギア７Ａに伝達されて各ウォームレバー７がこの回転に応じて一方向（例えば時計方向）へ回転し、この時計方向の回転は係止杆７Ｂ、作動伝達スプリングＳ２を介して各スロットルレバー５へ伝達され、このスロットルレバー５の時計方向回転によって、各スロットルボデーＢの絞り弁２は各吸気路１を開放する。
【００１５】
一方、ＥＣＵからの出力信号によって、モータＭが他方向に回転してウォームシャフト１０が他方向に回転すると、この回転は各スロットルボデーＢの各ウォームギア７Ａに伝達されて各ウォームレバー７がこの回転に応じて他方向（例えば反時計方向）へ回転し、この反時計方向の回転は係止杆７Ｂ、調整ネジ６を介して各スロットルレバー５へ伝達され、このスロットルレバー５の反時計方向回転によって、各スロットルボデーＢの絞り弁２は各吸気路１を閉塞する。
【００１６】
而して、各スロットルボデーＢの絞り弁２はＥＣＵからの出力信号に基くモータＭの回転によって同期的に回転できるので、船外機用機関における好適な多連装吸気制御装置を提供できる。
尚、単一のスロットルボデーＢの絞り弁軸３に設けられた角度センサＴは絞り弁２の開度を検出してその開度信号をＥＣＵに向けて出力するもので、これによって絞り弁２の角度を目標開度に正確に補正制御できる。
【００１７】
又単一のスロットルボデーＢのウォームレバー７の先端７Ｃに向けてスロットルボデーＢに螺着された第２調整ネジ１５の先端を当接配置したことによると、モータＭ、ウォームシャフト１０、ウォームレバー７、スロットルレバー５の回転動作に不具合の生じた際、この第２調整ネジ１５を螺動することによって絞り弁２を所望の開度迄機械的に開放することができ、機関の回転数を必要回転数に迄上昇できる。
尚、通常の使用状態にあってはウォームレバー７の端部７Ｃはストッパ９のみに当接させ、第２調整ネジ１５の先端とウォームレバー７の端部との間には間隙を存在させる。
又、この第２調整ネジ１５はスロットルレバー５に臨んで配置してもよい。
【００１８】
更に又ウォームシャフト１０のネジを、リードがピッチの２倍に等しい２条ネジとすると、モータＭの動作に不具合が生じた際、ウォームギア７Ａとウォームシャフト１０のネジとの摩擦力を低減でき、リターンスプリングＳ１のバネ力によってウォームレバー７を反時計方向に容易に回転でき、これによって絞り弁２を閉塞できる。
【００１９】
【発明の効果】
以上の如く、本発明になる船外機用機関における多連装吸気制御装置の第１の特徴によれば、船外機に好適な電気制御式の多連装吸気制御装置を提供でき、又、第２の特徴によれば、前記制御装置に不具合が生じた際において、絞り弁の開度を所望の開度迄開放できて機関の運転を継続実施でき、更に第３の特徴によればモータ系統に不具合が生じた際において、絞り弁を強制的に閉塞保持できる。
【図面の簡単な説明】
【図１】本発明の対象となる船外機用機関の全体を示す要部縦断面図。
【図２】本発明になる船外機用機関における多連装吸気制御装置の一実施例を示す縦断面図。
【図３】図２の一部縦断面図を含む右側平面図。
【符号の説明】
２      絞り弁
３      絞り弁軸
５      スロットルレバー
６      調整ネジ
７      ウォームレバー
７Ａ    ウォームギア
７Ｂ    係止杆
１０    ウォームシャフト
１５    第２調整ネジ
Ｂ      スロットルボデー
Ｍ      モータ
【図１】
0004405107.tif 000002
【図２】
0004405107.tif 000003
【図３】
0004405107.tif 000004